(57)【要約】【課題】肌面に対するダメージを大幅に低減し、かつ取扱いの煩雑さをなくすことが可能な美容装置を提供する。【解決手段】超音波振動させた第１振動板１２を肌面に当てて移動させることにより、肌面の汚れを除去する美容装置１であって、第１振動板１２を超音波振動させるための第１超音波振動子１１と、超音波振動することにより液体をミスト化してミストを生成し、このミストを前記肌面に向けて噴出するための第２振動板２４と、第２振動板２４を超音波振動させるための第２超音波振動子２５とを備えた。【選択図】  図１
2014023708.tif 000002
【特許請求の範囲】
【請求項１】
超音波振動させた第１振動板を肌面に当てて移動させることにより、前記肌面の汚れを除去する美容装置であって、
前記第１振動板を超音波振動させるための第１超音波振動発生部と、
超音波振動することにより液体をミスト化してミストを生成し、このミストを前記肌面に向けて噴出するための第２振動板と、
前記第２振動板を超音波振動させるための第２超音波振動発生部と、
を備えたことを特徴とする美容装置。
【請求項２】
前記第１超音波振動発生部の駆動と第２超音波振動発生部の駆動とを切り替える駆動切替手段と、
前記駆動切換手段の操作により、前記第１超音波振動発生部又は第２超音波振動発生部のいずれかを駆動させるかを決定する制御手段と、
を備えた請求項１記載の美容装置。
【請求項３】
制御手段は、駆動切換手段が操作されている時に、第１超音波振動発生部を停止し、第２超音波振動発生部を駆動させるように制御する、請求項２記載の美容装置。
【請求項４】
美容装置は、本体と、前記本体とは着脱自在に取り付けられるヘッドとから構成されており、
第１振動板と第１超音波振動発生部は、前記ヘッドに設けられ、
第２振動板と第２超音波振動発生部は、前記本体に設けられている、請求項１〜３のいずれかに記載の美容装置。
【請求項５】
第１超音波振動発生部は、第１振動板を所定時間振動させる動作と、前記第１振動板の振動を所定時間停止する動作とを交互に行うように構成されており、
前記第１振動板の振動を停止する停止時間は複数設定されており、
制御手段は、前記停止時間を切り替えるための停止時間切替手段が操作されたときに、前記停止時間を切り替えるように制御する、請求項２〜４のいずれかに記載の美容装置。
【発明の詳細な説明】
【技術分野】
【０００１】
本発明は、肌面に対して超音波刺激を付与することにより、肌面の汚れを除去する美容装置に関する。
【背景技術】
【０００２】
従来から、肌面の汚れを除去する美容装置が知られている。肌面の汚れを除去する美容装置としては、例えば超音波で振動する振動板を肌面に当てることで肌面に対して超音波刺激を付与し、肌面の汚れ、すなわち角質や皮脂、化粧残り等を除去するものが従来から存在する（例えば、特許文献１）。
【先行技術文献】
【特許文献】
【０００３】
【特許文献１】特開平６−３２８０４２号公報
【発明の概要】
【発明が解決しようとする課題】
【０００４】
一般に、使用者が、超音波振動する振動板を肌面に当てて汚れ等を除去する場合には、単に振動板を肌面に当てるのみでは肌に与えるダメージが大きい。そのため、通常は、振動板を肌面に当てる前に肌面を水等の液体で濡らし、その後に振動板を肌面に当てて使用して肌面の汚れを除去することが一般的に行われている。しかし、単に水等の液体で肌面を濡らしただけでは、液体が肌面の表面に留まらず、肌面から容易に流れ落ちてしまうという問題がある。また、単に肌面を濡らすために使用する液体は、汚れが多いとされる毛穴等の内部にも留まることができず、毛穴等に詰まった汚れ等を十分に除去することができなかった。
【０００５】
このような問題を解決する方法としては、水等の液体を霧状にし、ミストを肌面に吹き付けた後に振動板を肌面に当てて使用することが考えられる。ミストは液体を霧状にするためミスト径を小さくすることができるので、単に液体で濡らした場合に比べて肌の表面に均一に付き肌面に浸透しやすく、単に液体で肌面を濡らした場合よりも、毛穴に詰まった汚れを除去することができる。
【０００６】
しかし、従来の美容装置は、ミストを吹き付けるものと振動板を超音波振動させて肌面の汚れを除去するものとが別体であったため、ミストを吹き付けた後に振動板を当てて肌面の汚れを除去するのは複数の美容装置を持ち替えて行う必要があり、使用者に煩雑さを感じさせてしまうという問題があった。特に、汚れを除去する肌面に対して部分的にミストを吹き付け、その後に振動板を当てて肌面の汚れを除去するという作業を複数回に分けて行う場合には、使用者は何回も美容装置を持ち替えなければならず、この作業がさらに煩雑になってしまうという問題があった。このような問題を解消するためには、汚れを除去する肌面に対して全体的にミストを吹き付けた後に超音波振動させた振動板を肌面に当てて、肌面の汚れを除去することも考えられる。しかし、この場合には、ミストを吹き付けた肌面の面積が大きいと、振動板を押し当てて汚れを除去する前に、肌面に吹き付けたミスト状の液体の蒸発と併せて肌の水分も一緒に蒸発するため、肌面を却って乾燥させてしまい、肌に与えるダメージが大きくなってしまうという問題が生じる。この場合、乾燥した肌面に再度ミストを吹き付ければよいが、それではミストを生成するのに必要な液体の量が増加し、使用者に対するコストの負担を増加させてしまうという別の問題も生じる。
【０００７】
本発明は、上記した問題点に鑑みてなされたもので、肌面に対するダメージを大幅に低減し、かつ取扱いの煩雑さをなくすことが可能であり、また駆動時における消費エネルギーを低く抑えることが可能な美容装置を提供することを目的とする。
【課題を解決するための手段】
【０００８】
本発明に係る美容装置は、
（１）超音波振動させた第１振動板を肌面に当てて移動させることにより、前記肌面の汚れを除去する美容装置であって、前記第１振動板を超音波振動させるための第１超音波振動発生部と、超音波振動することにより液体をミスト化してミストを生成し、このミストを前記肌面に向けて噴出するための第２振動板と、前記第２振動板を超音波振動させるための第２超音波振動発生部と、を備えたことを特徴とする美容装置、
（２）前記第１超音波振動発生部の駆動と第２超音波振動発生部の駆動とを切り替える駆動切替手段と、前記駆動切換手段の操作により、前記第１超音波振動発生部又は第２超音波振動発生部のいずれかを駆動させるかを決定する制御手段と、を備えた上記（１）記載の美容装置、
（３）制御手段は、駆動切換手段が操作されている時に、第１超音波振動発生部を停止し、第２超音波振動発生部を駆動させるように制御する、上記（２）記載の美容装置、
（４）美容装置は、本体と、前記本体とは着脱自在に取り付けられるヘッドとから構成されており、第１振動板と第１超音波振動発生部は、前記ヘッドに設けられ、第２振動板と第２超音波振動発生部は、前記本体に設けられている、上記（１）〜（３）のいずれかに記載の美容装置、
（５）第１超音波振動発生部は、第１振動板を所定時間振動させる動作と、前記第１振動板の振動を所定時間停止する動作とを交互に行うように構成されており、前記第１振動板の振動を停止する停止時間は複数設定されており、制御手段は、前記停止時間を切り替えるための停止時間切替手段が操作されたときに、前記停止時間を切り替えるように制御する、上記（２）〜（４）のいずれかに記載の美容装置、
を要旨とする。
【発明の効果】
【０００９】
本発明に係る美容装置は、第１振動板を第１超音波振動発生部にて超音波振動させることができ、また第２振動板を第２超音波振動発生部にて超音波振動させることにより液体をミスト化してミストを生成し、さらにこのミストを肌面に向けて噴出させることができるので、肌面へのミストの吹き付けの後の第１振動板による肌面の汚れの除去を迅速かつ容易に行うことが可能になる。したがって、使用者の肌に与えるダメージを大きく低減しつつ、肌面の汚れを除去することが可能になる。また、本発明に係る美容装置によれば、使用者が使用する際の煩雑さを感じることなく、使用時の負担を大幅に軽減させることも可能になる。
【図面の簡単な説明】
【００１０】
【図１】本発明に係る美容装置の実施の形態を示す外観斜視図である。
【図２】美容装置の分解斜視図である。
【図３】美容装置の図１に示すＡ−Ａ線断面図である。
【図４】美容装置の電気的構成を示す電気ブロック図である。
【図５】美容装置の状態遷移図である。
【発明を実施するための形態】
【００１１】
本発明に係る美容装置の構成を以下において具体的に説明する。図１は、本発明に係る美容装置の実施の形態の例を示す外観斜視図であり、図２は、該美容装置の分解斜視図であり、図３は、該美容装置の図１におけるＡ−Ａ線断面図である。なお、本明細書における前後上下左右は、図１に示す方向を示すものとして説明する。
【００１２】
本実施の形態に係る美容装置１は、本体２と、本体２に対して着脱自在に取付可能なヘッド３から構成されている。以下においては、本体２の構成を説明した後にヘッド３の構成を説明する。
【００１３】
［本体の構成について］
本体２は、使用者が把持することができる大きさ及び形状に形成されており、左右方向は略同一の幅を有し、上下方向は、後側から前側に向けて厚さが厚くなるように形成されている。また、美容装置１の前端部には、図示しないカバーを取り付けるためのカバー取付部４が形成されている。このカバー取付部４は、本実施の形態では、図１に示すように、本体２の前端部の上下方向の厚さ及び左右方向の幅が該前端部よりも後方の部分における上下方向の厚さ及び左右方向の幅よりも小さくなるように形成されており、この部分に図示しないカバーが取り付けられる。
【００１４】
本体２は、上面に電源スイッチ５、停止時間切替手段としての停止時間切替スイッチ６、駆動切替手段としてのミスト切替スイッチ７及びＬＥＤ表示部８が設けられている。電源スイッチ５は、美容装置１をオンオフするためのもので、使用者が押圧操作をすることで、本体２の内部に設けられているバッテリー２２（図３参照）からの電力の供給が開始又は停止されるように構成されている。停止時間切替スイッチ６は、第１超音波振動発生部としての第１超音波振動子１１において第１振動板１２の超音波振動を停止する時間を切り替える操作を行うためのものである。すなわち、本実施の形態に係る美容装置１は、該美容装置１の電源がオンの状態の場合であってミスト切替スイッチ７が押圧操作されていない時は、第１超音波振動子１１が超音波振動をするように動作する。この時、第１超音波振動子１１において発生する超音波振動は、所定時間だけ超音波振動させる動作と、第１振動板１２の超音波振動を所定時間停止するという動作を交互に繰り返し行う。停止時間切替スイッチ６は、この超音波振動を停止する時間である停止時間を切り替えるためのものである。本実施の形態に係る美容装置１では、ＬＯＷモードとＨＩＧＨモードの２種類の振動モードが設定されており、ＬＯＷモードの場合には停止時間が長く、ＨＩＧＨモードの場合には停止時間が短くなるように予め設定されている。本実施の形態では、電源スイッチ５がオンになった場合にはＬＯＷモードで第１振動板１２が超音波振動するように設定されており、使用者が停止時間切替スイッチ６を操作した時は、ＬＯＷモードからＨＩＧＨモードに移行する。また、美容装置１がＨＩＧＨモードで駆動している時に使用者が停止時間切替スイッチ６を操作した時は、ＨＩＧＨモードからＬＯＷモードに移行する。即ち、美容装置１は、停止時間切替スイッチ６が操作された時に、後述する制御手段としての制御部２６において、停止時間を切り替えるように制御を行っている。
【００１５】
ミスト切替スイッチ７は、停止時間切替スイッチ６の前側に設けられており、電源スイッチ５及び停止時間切替スイッチ６よりも大きな形状で形成されている。ミスト切替スイッチ７は、押圧操作をすることができるように構成されており、該ミスト切替スイッチ７を押圧操作している間だけ、ミストが噴出されるように構成されている。即ち、ミスト切替スイッチ７は、第１超音波振動子１１の駆動と第２超音波振動子２５の駆動とを切り替えるためのものである。
【００１６】
ＬＥＤ表示部８は、充電ランプ１３、ボディランプ１４、フェイスランプ１５からなる。充電ランプ１３は、美容装置１が充電されている時に点灯するものである。また、ボディランプ１４は、本体２に装着されたヘッド３がボディ用のものである場合に点灯するランプであり、フェイスランプ１５は、本体２に装着されたヘッド３がフェイス用のものである場合に点灯するランプである。このＬＥＤ表示部８に使用されるものとしては、例としてＬＥＤを使用しているが、発光部材として使用できるものであれば、ＬＥＤ以外のものを任意に選択して使用してもよい。
【００１７】
図２に示すように、本体２には、ヘッド挿入穴１６及びミスト噴出孔１７が開口形成されている。ヘッド挿入穴１６は、本体２の前端部の上部に開口形成しており、後述するヘッド３の挿入部４２が挿入可能な大きさ、即ち挿入部４２の外形形状と略同一の形状で、挿入部４２の抜き差しができる程度に挿入部４２の外形形状よりも僅かに大きな穴形状となるように形成されている。ヘッド挿入穴１６は、底部１６ａにヘッド３と電気的に接続するための端子１６ｂが設けられている（図３参照）。また、ヘッド挿入穴１６の天井面には凹部１６ｃが形成されている。この凹部１６ｃは、後述するヘッド３の上側面に形成された凸部３ａと係合し、ヘッド挿入穴１６に挿入されたヘッド３が、ヘッド挿入穴１６から抜ける方向へ移動せず、該ヘッド挿入穴１６に挿入された状態を維持することができるようにするためのものである。なお、この凹部１６ｃと凸部３ａとの係合は、使用者がヘッド３に対して前後方向に力を加えた場合には解除される。ミスト噴出孔１７は、本体２の前端部において、ヘッド挿入穴１６の下方に開口形成されている。本実施の形態では、ミスト噴出孔１７は、円形に形成されており、奥側に後述する第２振動板２４等が配置されている。
【００１８】
図３に示すように、本体２の内部には、電源用コネクタ２１、バッテリー２２、液体貯蔵部２３、第２振動板２４、第２超音波振動発生部としての第２超音波振動子２５、制御手段としての制御部２６が設けられている。電源用コネクタ２１は、外部から供給される電力のバッテリー２２への充電、又は、第１超音波振動子１１、第２超音波振動子若しくはＬＥＤ表示部８等を駆動する際に使用するためのもので、図示しない外部電源と接続するための接続端子２１ａを有している。電源用コネクタ２１は、外部電源等と電気的に接続するためのコード等が着脱自在に接続される。バッテリー２２は、美容装置１が駆動する時に、該美容装置１を構成する各種部品に電力を供給するとともに、外部電源から供給された電力を蓄電するためのものである。このバッテリー２２は、本実施の形態では電源用コネクタ２１の前側に配置されている。バッテリー２２は、蓄電及び放電をすることができるものであればよく、従来から公知のものを任意に選択して用いてもよい。
【００１９】
液体貯蔵部２３は、本体２の前側に位置するように設けられている。この液体貯蔵部２３は、本体２の下側に凹状に形成された収納部２７に着脱自在に取り付けることができるように構成されている。液体貯蔵部２３は、美容装置１を使用する時は、本体２には、収納部２７を閉塞する蓋部２８が取り付けられている。液体貯蔵部２３は、貯蔵タンク３１と、キャップ３２と、導液部材３３とを備えている。貯蔵タンク３１は、内部に液体を貯蔵することができるように形成されたタンク状の部材であり、キャップ３２を着脱自在に取付可能に形成され、キャップ３２を取り外した時には液体を注入することが可能な注入孔３４が形成されている。キャップ３２は、貯蔵タンク３１の注入孔３４に着脱自在に取り付けられ、貯蔵タンク３１に取り付けられている時は、該貯蔵タンク３１の内部に注入された液体が漏れないようになっている。また、キャップ３２は、開口形成された注入孔３４が中央に設けられており、この注入孔３４に導液部材３３が挿通されている。
【００２０】
導液部材３３は、貯蔵タンク３１の中に注入された液体を貯蔵タンク３１の外部に配置された第２振動板２４へ導くためのものである。この導液部材３３は、本実施の形態では棒状に形成されており、貯蔵タンク３１内の液体を吸い上げて貯蔵タンク３１の外部まで導くことができる材質のもので形成されている。また、導液部材３３は、キャップ３２の中央に開口形成された注入孔３４に挿通され、前側の一端部がキャップ３２よりも前側に突出し、後側の他端部がキャップ３２よりも後側に突出するように配置される。この導液部材３３は、液体貯蔵部２３を取り付けた時に、該液体貯蔵部２３の前側に配置された第２振動板２４に導液部材３３の前端が当接する程度に、キャップ３２よりも前側に突出している。また、導液部材３３は、キャップ３２が貯蔵タンク３１に取り付けられている時に、該貯蔵タンク３１の底部３１ａまで近接する位置に導液部材３３の後端が位置する程度にまで、キャップ３２よりも後側に突出している。なお、本実施の形態では、導液部材３３は、キャップ３２に形成された支持部３２ｂで支持されているが、本発明はこれに限定されるものではなく、導液部材３３が支持部３２ｂに支持されていなくてもよい。
【００２１】
第２振動板２４は、超音波振動することにより、導液部材３３によって案内された液体をミスト化してミストを生成し、このミストを、ミスト噴出孔１７から肌面に向けて噴出させるためのものである。この第２振動板２４は、一方の面としての前面２４ａと他方の面としての後面２４ｂに通じる微細の孔が多数形成された板状の部材である。第２振動板２４は、ステンレス等の金属材料で形成されており、エッチング等の方法により微細の多数の孔が貫通している。
【００２２】
第２超音波振動子２５は、第２振動板２４に超音波振動を与えて、該第２振動板２４を超音波振動させるためのものである。この第２超音波振動子２５は、第２振動板２４の周囲を囲むように設けられており、本実施の形態では１６０ｋＨｚの周波数で第２振動板２４を超音波振動させるように構成されている。本実施の形態では、第２超音波振動子２５は、ホルダ３５を介して本体２に取り付けられており、この第２超音波振動子２５が周囲を囲うように、第２振動板２４を取り付けている。即ち、第２振動板２４は、第２超音波振動子２５とホルダ３５を介して本体２に取り付けられている。
【００２３】
図３の部分拡大図に示すように、液体貯蔵部２３が収納部２７に取り付けられている時は、導液部材３３の先端が第２振動板２４の後面２４ｂに接する位置に配置されている。すなわち、第２振動板２４には、導液部材３３によって、液体貯蔵部２３内に貯蔵された液体が供給され得る状態になっている。ここで、第２超音波振動子２５によって第２振動板２４が超音波振動すると、第２振動板２４に供給されている液体が微細な孔を通って第２振動板２４の後面２４ｂから前面２４ａに移動する際、連続体であった液体が微細な粒状、即ちミスト状になる。そして、この微細な粒状になった液体が長音波振動する第２振動板２４によってさらに前方に向けて押し出される。すなわち、第２振動板２４が超音波振動することにより、導液部材３３から供給される液体をミスト状にし、さらにミストを外方に向けて噴射することが可能になる。
【００２４】
［ヘッドの構成］
ヘッド３は、使用者の肌面の汚れを除去する際に使用されるもので、ヘッド本体４１と、ヘッド本体４１の後端部に形成された挿入部４２とを有している。ヘッド本体４１は、前側に延出するように設けられた第１振動板１２と、この第１振動板１２を超音波振動させる第１超音波振動子１１とを有している。また、ヘッド本体４１には、前端面に第１振動板１２をヘッド本体４１の外部へ延出させるための延出用孔４３が開口形成されている。この延出用孔４３の孔形状及び大きさは、弾性部材で形成された支持部材４４の前端側の外形形状及び大きさと略同一に形成されている。また、図３に示すように、支持部材４４は、ヘッド本体４１の内部に配置されており、ヘッド本体４１内において支持される支持端部４４ａと、この支持端部４４ａから前側に突出する突出部４４ｂとを有している。突出部４４ｂの外形形状及び大きさは、延出用孔４３の孔形状及び大きさと略同一であり、ヘッド本体４１内に配置された時に、突出部４４ｂが延出用孔４３に挿し込まれるように形成されている。突出部４４ｂは、延出用孔４３に挿し込まれた時の前端面の位置がヘッド本体４１の前端面の位置と略同一の位置となり、略面一となる。
【００２５】
第１振動板１２は、ステンレス等の金属で形成された板状の部材であり、ヘッド本体４１の内部に配置されている第１超音波振動子１１から前側に向けて延出するように形成されている。また、第１振動板１２は、支持部材４４に形成されている第１振動板挿通孔に挿通することでヘッド本体４１の外部へ先端部１２ａが延出しており、第１超音波振動子１１に近い基端側の一部において、支持部材４４を介してヘッド本体４１に支持されている。本実施の形態では、第１振動板１２は、後側の基端部１２ｂから前側の先端部１２ａに向けて左右方向の幅が狭くなるように形成され、先端部１２ａは曲線を描くように形成されている。また、第１振動板１２は、基端部１２ｂと先端部１２ａとの間に屈曲部１２ｃが形成されており、基端部１２ｂの上下方向の位置よりも先端部１２ａの上下方向の位置の方が高くなるように形成されている。
【００２６】
第１超音波振動子１１は、ヘッド本体４１の内部に配置されており、第１振動板１２を超音波振動させることができるように構成されている。この第１超音波振動子１１は、所定時間だけ超音波振動させた後に一定時間だけ超音波振動を停止し、その後さらに所定時間だけ超音波振動させるというように、第１振動板１２を超音波振動させたり、第１振動板１２の超音波振動を停止させるという動作を繰り返し交互に行うこともできるように構成されている。この場合、第１超音波振動子１１は、停止時間切替スイッチ６が操作された時は、第１振動板１２の超音波振動を停止させる時間を短くしたり、又は長くしたりすることもできるように構成されている。この第１振動板１２の超音波振動を停止させる時間は、制御部２６において予め定められており、その定められた時間だけ、該超音波振動を停止することができるようになっている。
【００２７】
挿入部４２は、ヘッド３の後端側に形成されており、本体２に形成されたヘッド挿入穴１６へ挿入することが可能な大きさ及び形状に形成されている。即ち、挿入部４２は、ヘッド挿入穴１６の孔形状と挿入部４２の外形形状が略同一の形状で、かつヘッド３の抜き差しが可能な程度にヘッド挿入穴１６の穴形状よりも小さくなるように形成されている。挿入部４２の後端部には、ヘッド挿入穴１６の底部１６ａに設けられている端子１６ｂと電気的に接続が可能な接続端子２１ａが設けられている。なお、ヘッド３の上側面に形成された凸部３ａは、ヘッド挿入穴１６の天井面に形成された凹部１６ｃと係合し、ヘッド挿入穴１６に挿入されたヘッド３が、ヘッド挿入穴１６から抜ける方向へ移動せず、該ヘッド挿入穴１６に挿入された状態を維持することができるようにするためのものである。
【００２８】
本実施の形態に係る美容装置１は、ヘッド３は複数種類あってもよい。例えば、顔の肌面の汚れを除去する時に使用するフェイス用のヘッドと、体の肌面の汚れを除去する時に使用するボディ用のヘッドというように、複数種類のヘッドがあってもよい。このように、複数のヘッドがあると、使用者は、肌面の汚れを除去する部位によってヘッドを交換しながら使用し、本体は共通のものとして使用することができるので、汚れを除去する部位毎に美容装置を持ち替えなければならない煩わしさや、部位毎に美容装置を買い揃えなければならないという使用者の負担を大幅に減少させることができる。
【００２９】
なお、本実施の形態に係る美容装置１において、フェイス用のヘッドを本体２に装着して使用する場合と、ボディ用のヘッドを本体２に装着して使用する場合とでは、第１超音波振動子１１で発生させる周波数を変更することが望ましい。例えば、フェイス用のヘッドを本体２に装着した美容装置１を使用する場合には、２８ｋＨｚの周波数で第１振動板１２を超音波振動させ、ボディ用のヘッドを本体２に装着した美容装置１を使用する場合には、４０ｋＨｚの周波数で第１振動板１２を超音波振動させることが好ましい。なお、このヘッド３の種類と、各ヘッド３を装着して使用する際の第１振動板１２の周波数は例示であり、これに限定されるものではない。
【００３０】
［美容装置１の電気的構成について］
本発明に係る美容装置１の実施の形態の電気的構成を図４に示す。本実施の形態に係る美容装置１は、制御手段としての制御部２６が美容装置１の総括的な制御を行っており、この制御部２６の入力端側に、電源スイッチ５、停止時間切替スイッチ６、ミスト切替スイッチ７が電気的に接続されている。また、制御部２６には、電源用コネクタ２１も電気的に接続されている。さらに、制御部２６の出力端側には、第２超音波振動子２５及びＬＥＤ表示部８が電気的に接続されている。また、制御部２６は、接続端子２１ａ（図４では図示せず）を介して、ヘッド３の第１超音波振動子１１と電気的に接続されている。また、制御部２６をはじめとする美容装置１の駆動は、バッテリー２２から電力が供給されることで行われる。
【００３１】
電源スイッチ５は、美容装置１の駆動をオン又はオフするためのスイッチである。電源スイッチ５は、オンにするとオン信号を制御部２６に出力し、オフにするとオフ信号を制御部２６に出力する。停止時間切替スイッチ６は、第１振動板１２が超音波振動している際、第１振動板１２の超音波振動を停止する動作を行う時間を切り替えるためのスイッチである。停止時間切替スイッチ６が操作されると、停止時間切替スイッチ６から制御部２６に対して停止時間切替信号を出力する。ミスト切替スイッチ７は、第１超音波振動子１１の駆動と第２超音波振動子２５の駆動とを切り替えるためのスイッチである。このミスト切替スイッチ７は、押圧操作されるとミスト切替信号を制御部２６に出力する。なお、このミスト切替信号は、ミスト切替スイッチ７が押圧操作されている間にのみ連続的に出力されるようになっている。即ち、ミスト切替信号は、ミスト切替スイッチ７が連続的に押圧操作されている間は連続的に出力され、ミスト切替スイッチ７の押圧操作が解除されると出力されなくなるように構成されている。電源用コネクタ２１は、図示しない外部電源から美容装置１に電力を供給するためのものであり、制御部２６に電気的に接続されている。
【００３２】
第１超音波振動子１１は、第１振動板１２を超音波振動させるためのもので、制御部２６から出力される第１駆動信号を受けると、超音波振動を開始する。第１超音波振動子１１が超音波振動を開始すると、第１振動板１２が超音波振動を開始する。第２超音波振動子２５は、第２振動板２４を超音波振動させるためのもので、制御部２６から出力される第２駆動信号を受けると超音波振動を開始する。第２超音波振動子２５が超音波振動を開始すると、第２振動板２４が超音波振動を開始し、導液部材３３から供給される液体をミスト状にして噴出孔から美容装置１の外部に噴出される。
【００３３】
ＬＥＤ表示部８は、充電ランプ１３、ボディランプ１４及びフェイスランプ１５からなる。これら充電ランプ１３、ボディランプ１４及びフェイスランプ１５は、それぞれが制御部２６と電気的に接続されている。充電ランプ１３は、制御部２６から充電表示信号が出力されると、この出力に伴って点灯表示するように構成されており、美容装置１が充電中の場合にＬＥＤが点灯するように構成されている。ボディランプ１４は、ヘッド３がボディ用のものであることを制御部２６が認識し、ボディ表示信号が制御部２６から出力されると、この出力に伴って点灯表示するように構成されており、本体２にボディ用のヘッド３が装着されている場合にＬＥＤが点灯するように構成されている。フェイスランプ１５は、ヘッド３がフェイス用のものであることを制御部２６が認識し、フェイス表示信号が制御部２６から出力されると、この出力に伴って点灯表示するように構成されており、本体２にフェイス用のヘッド３が装着されている場合にＬＥＤが点灯するように構成されている。
【００３４】
制御部２６は、美容装置１の制御を総括的に行うものである。この制御部２６は、電源スイッチ５から出力されるオン信号又はオフ信号の入力を受けると、美容装置１の駆動を開始又は停止するように構成されている。また、制御部２６は、停止時間切替スイッチ６から出力される停止時間切替信号の入力を受けると、該停止時間切替信号の入力を受けた時点における振動モーとがＬＯＷモードとＨＩＧＨモードのいずれであるかを確認し、この時点における振動モードがＬＯＷモードである場合には、第１超音波振動子１１に対してＨＩＧＨモードに移行する第１切替信号を出力する。また、停止時間切替信号の入力を受けた時点における振動モードがＨＩＧＨモードである場合には、第１超音波振動子１１に対してＬＯＷモードに移行する第２切替信号を出力する。さらに、制御部２６は、ミスト切替スイッチ７から出力されるミスト切替信号の入力を受けると、第１超音波振動子１１に対する第１駆動信号の出力を停止し、第２超音波振動子２５に対して第２駆動信号を出力する。なお、上記した通り、ミスト切替信号は、ミスト切替スイッチ７が押圧操作されている間は連続的に制御部２６に対して出力される。制御部２６は、ミスト切替信号の入力を受けている間は、連続的に第２駆動信号を出力するようになっている。
【００３５】
また、制御部２６は、バッテリー２２とも電気的に接続されている。制御部２６は、バッテリー２２を充電する場合には、電源用コネクタ２１から供給される電力をバッテリー２２に供給し、それと共にＬＥＤ表示部８の充電ランプ１３に対して充電表示信号を出力して、充電ランプ１３を点灯表示する。また、制御部２６は、バッテリー２２の充電が終了すると、充電表示信号の出力を停止して、充電ランプ１３を消灯させる。また、制御部２６は、また、制御部２６は、第１超音波振動子１１、第２超音波振動子２５、ＬＥＤ表示部８等に各種信号を出力する際には、バッテリー２２から供給される電力を用いて各種信号を生成し、各部の駆動や点灯表示等を行うようにもなっている。
【００３６】
制御部２６は、電源用コネクタ２１を介して外部電源から供給される電力を受けている場合において電源スイッチ５がオフの時は、バッテリー２２に電力を供給して該バッテリー２２を充電させると共に、ＬＥＤ表示部８を構成する充電ランプ１３に充電表示信号を出力する。また、制御部２６は、電源用コネクタ２１を介して外部電源から供給される電力を受けている場合において電源スイッチがオンにされた時は、バッテリー２２に電力を供給して該バッテリー２２を充電させると共に、第１超音波振動子１１又は第２超音波振動子２５を駆動させる。また、この時、制御部２６は、ＬＥＤ表示部８を構成する充電ランプ１３に充電表示信号を出力して充電ランプ１３を点灯させる。また、制御部２６は、電源スイッチ５がオンの場合であってミスト切替スイッチ７がオフの時は第１超音波振動子１１に第１駆動信号を出力し、電源スイッチ５がオンの場合であってミスト切替スイッチ７がオンの時は第２超音波振動子２５に第２駆動信号を出力するようになっている。なお、制御部２６は、電源用コネクタ２１を介して外部電源から電力が供給されている場合であって電源スイッチ５がオフの時には、バッテリー２２に電力を供給してバッテリー２２を充電させ、電源スイッチ５がオンにされた時には、第１超音波振動子１１又は第２超音波振動子２５を駆動させるように、電源スイッチ５のオン又はオフによって動作を切り替えるようにしてもよい。
【００３７】
［美容装置１の動作］
次に、本実施の形態に係る美容装置１の動作を図５に基づいて説明する。美容装置１は、通常は停止状態を維持している。この状態の時に使用者が電源スイッチ５を押圧操作すると、電源スイッチ５から制御部２６に対してオン信号が出力される。電源スイッチ５から出力されたオン信号の入力を受けた制御部２６は、本体２に装着されたヘッド３がボディ用のものとフェイス用のもののいずれであるかを認識する。そして、制御部２６は、本体２に装着されたヘッド３がボディ用のものである場合には、ボディランプ１４に対してボディ表示信号を出力してボディランプ１４を点灯表示させる。一方、制御部２６は、本体２に装着されたヘッド３がフェイス用のものである場合には、フェイスランプ１５に対してフェイス表示信号を出力してフェイスランプ１５を点灯表示させる。さらに、制御部２６は、第１超音波振動子１１に対して第１駆動信号を出力する。第１超音波振動子１１は、制御部２６から出力された第１駆動信号の入力を受けると、超音波振動を開始し、第１振動板１２を超音波振動させる。このとき、制御部２６は、第２超音波振動子２５には第２駆動信号を出力していないので、第２振動板２４は超音波振動していない。したがって、この場合には、美容装置１は、第１振動板１２が超音波振動しているが（第１超音波振動子１１がＯＮ）、第２振動板２４が超音波振動せず（第２超音波振動子２５がＯＦＦ）、ミストは噴出しない。
【００３８】
次に、制御部２６は、第１超音波振動子１１がＯＮで第２超音波振動子２５がＯＦＦの状態である時に電源スイッチ５がＯＦＦにされると、電源スイッチ５は制御部２６にオフ信号を出力する。制御部２６は、電源スイッチ５から出力されたオフ信号が入力されると、第１超音波振動子１１に対する第１駆動信号の出力を停止する。第１超音波振動子１１は、制御部２６から出力されていた第１駆動信号の入力が停止されると、超音波振動を停止し、第１振動板１２の超音波振動を停止させる。また、制御部２６は、オフ信号が入力された場合には、フェイスランプ１５に対してフェイス表示信号を出力していた場合には、該フェイス表示信号の出力を停止して、フェイスランプ１５を消灯させる。また、制御部２６は、ボディランプ１４に対してボディ表示信号を出力していた場合には、該ボディ表示信号の出力を停止して、ボディランプ１４を消灯させる。即ち、美容装置１は、この場合には、第１振動板１２の超音波振動を停止するとともに各種ランプを消灯させて、停止状態に移行する。
【００３９】
また、制御部２６は、第１超音波振動子１１がＯＮで第２超音波振動子２５がＯＦＦの状態である時にミスト切替スイッチ７が押圧操作されて、該ミスト切替スイッチ７から出力されたミスト切替信号の入力を受けると、第１超音波振動子１１へ出力していた第１駆動信号の出力を停止し、第２超音波振動子２５への第２駆動信号の出力を開始する。第１超音波振動子１１は、第１駆動信号の出力が停止されると超音波振動を停止し、第１振動板１２の超音波振動を停止させる。また、制御部２６から出力された第２駆動信号の入力を受けた第２超音波振動子２５は、超音波振動を開始して、第２振動板２４を超音波振動させる。この時、第２振動板２４には、導液部材３３から貯蔵タンク３１内に注入された液体が供給されており、第２振動板２４が超音波振動することで、連続的に供給されていた液体がミスト化され、ミストが生成される。また、生成されたミストは、第２振動板２４における超音波振動による力を受けて、ミスト噴出部から美容装置１の外部へ向けて噴出する。すなわち、美容装置１は、ミスト切替スイッチ７が使用者によって押圧操作されると、第１振動板１２の超音波振動を停止し、ミストを噴出する。
【００４０】
さらに制御部２６は、第１超音波振動子１１がＯＦＦで第２超音波振動子２５がＯＮの状態である時にミスト切替スイッチ７の押圧操作が解除されて、該ミスト切替スイッチ７から出力されていたミスト切替信号の入力が停止されると、第１超音波振動子１１への第１駆動信号の出力を開始し、第２超音波振動子２５へ出力していた第２駆動信号の出力を停止する。制御部２６から出力された第１駆動信号の入力を受けた第１超音波振動子１１は、超音波振動を開始して、第１振動板１２を超音波振動させる。また、第２超音波振動しは、第２駆動信号の出力が停止されると超音波振動を停止し、第２振動板２４の超音波振動を停止させる。すなわち、美容装置１は、ミストの噴出を停止して、第１振動板１２の超音波振動を開始する。
【００４１】
また、制御部２６は、超音波振動子がＯＦＦで第２超音波振動子２５がＯＮの状態である時に電源スイッチ５がＯＦＦにされると、電源スイッチ５は制御部２６にオフ信号を出力する。制御部２６は、電源スイッチ５から出力されたオフ信号が入力されると、第２超音波振動子２５に対する第２駆動信号の出力を停止する。第２超音波振動子２５は、制御部２６から出力されていた第２駆動信号の入力が停止されると、超音波振動を停止し、第２振動板２４の超音波振動を停止させる。また、制御部２６は、オフ信号が入力された場合には、フェイスランプ１５に対してフェイス表示信号を出力していた場合には、該フェイス表示信号の出力を停止して、フェイスランプ１５を消灯させる。また、制御部２６は、ボディランプ１４に対してボディ表示信号を出力していた場合には、該ボディ表示信号の出力を停止して、ボディランプ１４を消灯させる。即ち、美容装置１は、この場合には、ミストの噴出を停止するとともに各種ランプを消灯させて、停止状態に移行する。
【００４２】
［美容装置１の作用効果］
次に、本実施の形態に係る美容装置１の作用効果について説明する。上記した通り、使用者が美容装置１の電源スイッチ５をオンにすると、美容装置１は第１振動板１２の超音波振動を開始する。このとき、使用者が汚れを除去しようとする肌面が濡れていない場合に第１振動板１２を肌面へ当てると、肌に対するダメージが大きいので、ミスト切替スイッチ７を押圧操作してミストを噴出させて肌面にミストを吹き付ける。この時、使用者は、ミスト切替スイッチ７を押圧操作するのみでミストを肌面に吹き付けることができる。次に、使用者は、汚れを除去する肌面へのミストの吹き付けを終了したら、ミスト切替スイッチ７の押圧操作を解除する。美容装置１は、ミスト切替スイッチ７の押圧操作が解除されると、ミストの噴出を停止し、第１振動板１２の超音波振動が開始される。したがって、使用者は、汚れを除去する肌面にミストを吹き付けた後は、ミスト切替スイッチ７の押圧操作を解除することのみによって第１振動板１２を肌面に当てて、肌面の汚れを除去することが可能になる。このように、本実施の形態に係る美容装置１によれば、第１振動板１２による肌面の汚れの除去と、第２振動板２４によるミストの生成及び該ミストの噴出を一つの美容装置１で行うことができるので、肌面の汚れを除去する際の手間を大幅に軽減することが可能になる。
【００４３】
特に、本実施の形態に係る美容装置１は、肌面の汚れを除去するのが広範囲である場合には、汚れを除去する肌面に対して部分的にミストを吹き付け、その後に第１振動板１２を超音波振動させてミストを吹き付けた肌面の汚れを除去するという作業を、ミスト切替スイッチ７の操作のみによって極めて手軽に繰り返し行うことができ、作業の煩わしさを大幅に低減することが可能になる。
【００４４】
また、本実施の形態に係る美容装置１は、ミスト切替スイッチ７の操作によって、第１振動板１２の超音波振動とミストの噴出のいずれかを行うように構成されているので、肌面へのミストの吹き付けと第１振動板１２の超音波振動とを同時に駆動させて肌面の汚れの除去を行う場合に比べて、より多くの肌面の汚れを除去することができる。これは、肌面の汚れを確実に除去するためには、肌面に吹き付けたミストを確実に肌面に付着させ、肌面に浸透させてから、超音波振動を肌面に与える必要があり、肌面へのミストの吹き付けと超音波振動による汚れの除去を同時に行った場合では、吹き付けたミストが肌面に付着し、肌面に浸透する前に超音波振動を肌面に与えても、肌面の汚れを除去できる割合が減少するためであると推察される。
【００４５】
また、本実施の形態に係る美容装置１は、上記した通り、ミスト切替スイッチ７の操作によって、第１振動板１２の超音波振動とミストの噴出のいずれかを行うように構成されているので、電源スイッチをオンにして美容装置１を駆動した時の消費エネルギーを低く抑えることも可能になる。
【００４６】
以上、本発明に係る美容装置１の実施の形態について詳細に説明したが、上記した説明は本発明に係る美容装置１の一例であり、本発明の趣旨を逸脱しない範囲で、適宜変更してよい。
【符号の説明】
【００４７】
１  美容装置
２  本体
３  ヘッド
１１  第１超音波振動子
１２  第１振動板
１７  ミスト噴出孔
２３  液体貯蔵部
２４  第２振動板
２５  第２超音波振動子
２６  制御部
３１  貯蔵タンク
３２  キャップ
３３  導液部材
３５  ホルダ
【図１】
2014023708.tif 000003
【図２】
2014023708.tif 000004
【図３】
2014023708.tif 000005
【図４】
2014023708.tif 000006
【図５】
2014023708.tif 000007